【事件の表示】
　特願２００３−５１８１９４「複数の番組の記録方法および複数のマルチメディア入力を符号化するシステム」拒絶査定不服審判事件〔平成１５年　２月１３日国際公開、ＷＯ０３／１３１５２、平成１７年　６月３０日国内公表、特表２００５−５１９４８９〕について、次のとおり審決する。
【結　論】
　本件審判の請求は、成り立たない。
【理　由】
１．手続きの経緯、本願発明
　本願は、平成１４年７月２５日（パリ条約による優先権主張２００１年７月２７日、米国）を国際出願日とする出願であって、その特許請求の範囲の請求項１ないし１３に係る各発明は、平成２１年２月２４日付け手続補正書により補正された明細書および図面の記載からみて、請求項１ないし１３にそれぞれ記載されたとおりのものであると認められるところ、請求項１に係る発明は次のとおりのものである。
「それぞれが少なくとも一つの異なる番組を含む、複数のマルチメディア入力を受信するステップと、
　複数のマルチメディア入力の一部しか含まないようにマルチメディア入力をサンプリングするステップと、
　符号化効率を向上させるために、サンプリングされたマルチメディア入力と組み合わせられる少なくとも一つのダミー入力信号を発生するステップと、
　サンプリングされたマルチメディア入力と前記少なくとも一つのダミー入力信号を組み合わせるステップと、
　組み合わせられたマルチメディア入力を符号化するのに必要な符号化器の数が、複数の番組の数よりも少ない、組み合わせられたマルチメディア入力を符号化するステップと、を含む、複数の番組を記録媒体に記録する方法。」
　
２．引用例
（１）引用例の記載
　原査定の拒絶の理由で引用した特開平８−９８１８０号公報（以下「引用例１」という。）には、次のとおりの記載がなされている。
　
（ａ）「【産業上の利用分野】この発明は、複数の異なる画像シーケンスをエンコード及びデコードするための符号化／復号化システムに関する。」（段落【０００１】）
　
（ｂ）「【発明が解決しようとする課題】ところで、複数の画像シーケンスをエンコードする場合には、画像シーケンスと同数のビットストリームを用いる必要がある。また、複数の画像シーケンスをエンコード／デコードする場合、画像シーケンスと同数のエンコーダ／デコーダが必要となる。さらに、異なる解像度の複数の画像を効率的に符号化／復号化するためには、各解像度に対応して別々のエンコーダ／デコーダを用いたり、異なる解像度に対応可能なエンコーダ／デコーダを用いる必要がある。なお、ローパスフィルタを介して画像データをエンコードする方法があるが、この場合には、解像度が低下してしまう。また、符号化の際に、画像データが全領域にわたっているため、符号化効率が低下してしまう。
　従って、この発明の目的は、複数の画像シーケンスを１つのビットストリームに収めると共に、１つのエンコーダ及びデコーダで処理することのできる符号化／復号化システムを提供することにある。」（段落【０００３】、【０００４】）
　
（ｃ）「【実施例】以下、この発明の一実施例に関して図面を参照して説明する。図１は、この発明による符号化／復号化システムを実現するためのブロック図である。以下、符号化／復号化システムの構成を説明する。このシステムは、前処理装置、エンコーダ、ストレージメディア、デコーダ及び後処理装置からなる。
　前処理装置は、Ｍ（１ラインの輝度信号に関する画素数）×Ｎ（１フレームの輝度信号に関するライン数）画素からなる入力画像データをｍ（１ラインの輝度信号に関する画素数）×ｎ（１フレームの輝度信号に関するライン数）画素からなる画像データに変換する画像変換装置１ａ、１ｂ、１ｃ及び１ｄ、（Ｍ×Ｎ）画素の画像データを出力する画像変換装置２、画像変換装置１ａ〜１ｄのそれぞれから出力される（ｍ×ｎ）画素の画像データを合成して（Ｍ×Ｎ）画素の画像データとして出力する画像合成装置３、画像変換装置２の出力画像データ及び画像合成装置３の出力画像データのどちらか一方を選択してエンコーダ５に出力する入力セレクタ４からなる。
　入力セレクタ４で選択された画像データは、エンコーダ５により圧縮符号化等の処理がなされる。なお、エンコーダ５の基本的機能は、出来る限り最小限の劣化に抑えながらデータ量を落として、供給された画像データからビットストリームを出力することである。エンコーダ５の符号化出力は、図示せずも、ストレージメディアに記憶される。ストレージメディアとしては、磁気テープ、ＣＤ（Compact Disc) 、ＤＡＴ（Digital Audio Tape) 、ハードディスク等を用いることができる。このため、入力される画像データは、アナログ画像データ及びディジタル画像データの両方が可能である。ストレージメディアから読み出された画像データは、デコーダ６で伸長復号化等の処理がなされた後、後処理装置に供給される。なお、デコーダ６の基本的機能は、供給されたビットストリームに基づいて、画像データを形成することである。
　後処理装置は、デコーダ６から供給される（Ｍ×Ｎ）画素の画像データを（ｍ×ｎ）画素の画像データに分解する画像分解装置７、画像分解装置７から供給される（ｍ×ｎ）画素の画像データを画像変換装置１ａ〜１ｄに入力された画像データに戻す画像出力装置８ａ、８ｂ、８ｃ及び８ｄ、デコーダ６から（Ｍ×Ｎ）画素の画像データが供給される画像出力装置９からなる。なお、ここで、１ラインの画素数ｍ＝３５２画素、Ｍ＝７２０画素、１フレームのライン数ｎ＝２４０ライン、Ｎ＝４８０ラインとする。また、（Ｍ×Ｎ）画素は、ＣＣＩＲ勧告６０１によるものであり、（ｍ×ｎ）画素は、ＳＩＦ（ソース入力フォーマット）によるものである。」（段落【０００８】ないし【００１１】）
　
（ｄ）「以下、符号化／復号化システムの動作について説明する。図２Ａに示される画像データが画像変換装置１ａに、図２Ｂに示される画像データが画像変換装置１ｂに、図２Ｃに示される画像データが画像変換装置１ｃに、及び図２Ｄに示される画像データが画像変換装置１ｄにそれぞれ供給される。画像変換装置１ａから図２Ｅに示される画像データが、画像変換装置１ｂから図２Ｆに示される画像データが、画像変換装置１ｃから図２Ｇに示される画像データが、及び画像変換装置１ｄから図２Ｈに示される画像データがそれぞれ出力され、画像合成装置３に供給される。各画像変換装置１ａ〜１ｄから出力される画像データは、それぞれ（３５２×２４０）画素である。
　画像合成装置３では、各画像変換装置１ａ〜１ｄから供給された画像データが合成され、図３Ａに示されるような（７２０×４８０）画素からなる画像データが入力セレクタ４に出力される。図３Ａからもわかるように、ライン方向の画素数を７２０画素とするため、左側の画像データ（画像変換装置１ａ及び１ｃからの画像データ）と右側の画像データ（画像変換装置１ｂ及び１ｄからの画像データ）との間に（１６×４８０）画素の間隙が形成される。画像合成装置３の出力画像データが入力セレクタ４を介してエンコーダ５に供給される。
　エンコーダ５では、圧縮符号化等の所定の処理が行われる。エンコーダ５から出力される圧縮符号化後の画像データは、ストレージメディアに記憶される。ストレージメディアから読み出された画像データは、デコーダ６で伸長復号化等の処理がなされた後、画像分解装置７及び画像出力装置９に出力される。
　画像分解装置７では、デコーダ６から供給された（７２０×４８０）画素の画像データが（３５２×２４０）画素の画像データに分解される。そして、画像変換装置１ａに入力された画像データが画像出力装置８ａから出力される。以下、同様に、画像変換装置１ｂに入力された画像データが画像出力装置８ｂから、画像変換装置１ｃに入力された画像データが画像出力装置８ｃから、画像変換装置１ｄに入力された画像データが画像出力装置８ｄからそれぞれ出力される。」（段落【００１２】ないし【００１５】）
　
　また、原査定の拒絶の理由で引用した特開平１１−３４６３４１号公報（以下「引用例２」という。）には、次のとおりの記載がなされている。
　
（ｅ）「【発明の属する技術分野】本発明は、読み書き可能な光ディスクと、その記録装置、記録方法、再生装置、再生方法に関する。中でも複数の動画像データおよびオーディオデータを同時に記録したマルチメディアデータが記録された光ディスクと、その記録装置、記録方法、再生装置、再生方法に関する。」（段落【０００１】）
　
（ｆ）「【発明が解決しようとする課題】本発明は上記従来技術において説明した次世代ＡＶ記録メディアとして期待されるＤＶＤ−ＲＡＭの性能を最大限に引き出す上で支障となる以下の課題を解決し、書き換え可能な大容量光ディスクＤＶＤ−ＲＡＭの最大且つ本命の用途であるＤＶＤレコーダを実現するものである。
なかでも複数の番組の同時録画が可能なＤＶＤレコーダを実現するものである。
　
（ｇ）「（ＤＶＤレコーダの構成）
図１３はＤＶＤレコーダの構成図である。
　まず、図１３を用いてＤＶＤレコーダにおける記録動作について説明する。
　ユーザインターフェース部１３０１が最初にユーザからの要求を受ける。ユーザインターフェース部１３０１はユーザからの要求をシステム制御部１３０２に伝え、システム制御部１３０２はユーザからの要求を解釈し、各モジュールへの処理要求を発行する。
ユーザからの要求がＴＶ番組の録画であった場合、システム制御部１３０２は第１入力部１３０３または第２入力部１３０４へＴＶ番組の出力を要求する。
ユーザからの要求が２番組の同時録画であったり、１番組の録画処理中における２番組目の録画要求であった場合、システム制御部１３０２は、合成部１３０５に対して、第１入力部１３０３および第２入力部１３０４からの入力を合成出力するように要求する。
　
（２）引用例１に記載された発明
（ア）符号化／復号化システム
　引用例１の上記記載（ａ）ないし（ｃ）によれば、前処理装置、エンコーダ、ストレージメディア、デコーダ及び後処理装置からなる、複数の異なる画像シーケンスをエンコード及びデコードするための符号化／復号化システムにおいて、入力される複数の異なる画像シーケンスをストレージメディアに記憶する方法に係る発明が認定できる。
　
（イ）前処理装置
　引用例１の上記記載（ｃ）、（ｄ）によれば、上記符号化／復号化システムの前処理装置は、画像変換装置１ａ、１ｂ、１ｃ及び１ｄ、画像変換装置２、画像合成装置３、入力セレクタ４からなり、
画像変換装置１ａ、１ｂ、１ｃ及び１ｄのそれぞれに、Ｍ（１ラインの輝度信号に関する画素数）×Ｎ（１フレームの輝度信号に関するライン数）画素からなる入力画像データ、例えば、７２０×４８０画素からなる入力画像データが供給され、
前記画像変換装置１ａ、１ｂ、１ｃ及び１ｄのそれぞれでは、供給された前記７２０×４８０画素からなる入力画像データをｍ（１ラインの輝度信号に関する画素数）×ｎ（１フレームの輝度信号に関するライン数）画素からなる画像データ、例えば、３５２×２４０画素からなる画像データに変換し、
前記画像変換装置１ａ〜１ｄのそれぞれから出力される３５２×２４０画素の画像データが画像合成装置３に供給され、画像合成装置３では、前記画像変換装置１ａ〜１ｄのそれぞれから供給された画像データを合成して、左側の画像データと右側の画像データとの間に１６×４８０画素の間隙が形成された７２０×４８０画素の画像データとして出力し、
画像合成装置３の出力画像データを入力セレクタ４を介してエンコーダ５に出力することが記載されている。
　
（ウ）エンコーダ、ストレージメディア
　引用例１の上記記載（ｃ）、（ｄ）によれば、上記符号化／復号化システムのエンコーダ５では、入力セレクタ４を介して供給された前記画像合成装置３の出力画像データに圧縮符号化等の所定の処理がなされて、磁気テープ、ＣＤ等のストレージメディアに出力され、記憶されることが記載されている。
　
（エ）まとめ
　上記（ア）ないし（ウ）によれば、引用例１に記載された発明（以下「引用発明」という。）として、以下のとおりの発明を認定することができる。
　
「前処理装置、エンコーダ、ストレージメディア、デコーダ及び後処理装置からなる、複数の異なる画像シーケンスをエンコード及びデコードするための符号化／復号化システムにおいて、入力される複数の異なる画像シーケンスをストレージメディアに記憶する方法であって、
　上記符号化／復号化システムの前処理装置は、画像変換装置１ａ、１ｂ、１ｃ及び１ｄ、画像変換装置２、画像合成装置３、入力セレクタ４からなり、
　前記画像変換装置１ａ、１ｂ、１ｃ及び１ｄのそれぞれに、Ｍ（１ラインの輝度信号に関する画素数）×Ｎ（１フレームの輝度信号に関するライン数）画素からなる入力画像データ、例えば、７２０×４８０画素からなる入力画像データが供給され、
　前記画像変換装置１ａ、１ｂ、１ｃ及び１ｄのそれぞれでは、供給された前記７２０×４８０画素からなる入力画像データをｍ（１ラインの輝度信号に関する画素数）×ｎ（１フレームの輝度信号に関するライン数）画素からなる画像データ、例えば、３５２×２４０画素からなる画像データに変換し、
　前記画像変換装置１ａ〜１ｄのそれぞれから出力される３５２×２４０画素の画像データが画像合成装置３に供給され、画像合成装置３では、前記画像変換装置１ａ〜１ｄのそれぞれから供給された画像データを合成して、左側の画像データと右側の画像データとの間に１６×４８０画素の間隙が形成された７２０×４８０画素の画像データとして出力し、
　画像合成装置３の出力画像データを入力セレクタ４を介してエンコーダ５に出力し、
　エンコーダ５では、入力セレクタ４を介して供給された前記画像合成装置３の出力画像データに圧縮符号化等の所定の処理がなされて、磁気テープ、ＣＤ等のストレージメディアに出力され、記憶される、
　入力される複数の異なる画像シーケンスをストレージメディアに記憶する方法。」
　
３．対比
　本願の請求項１に係る発明（以下「本願発明」という。）と引用発明とを対比すると次のことが認められる。
　
（イ）それぞれが少なくとも一つの異なる番組を含む、複数のマルチメディア入力を受信するステップと、
　
　引用発明でいう「複数の異なる画像シーケンス」は、本願発明の「複数のマルチメディア」に対応することは明らかであり、また、各画像シーケンス（画像データ）が画像変換装置１ａ、１ｂ、１ｃ及び１ｄに入力されていることから、画像変換装置１ａ、１ｂ、１ｃ及び１ｄは各画像シーケンス（画像データ）を受信しているともいえることから、引用発明と本願発明は、ともに「複数のマルチメディア入力を受信するステップ」を含む点で共通するといえる。
　しかしながら、複数のマルチメディア入力が、本願発明では「それぞれが少なくとも一つの異なる番組を含」むのに対し、引用発明では、そのようにはなっていない点で相違する。
　
（ロ）複数のマルチメディア入力の一部しか含まないようにマルチメディア入力をサンプリングするステップと、
　
　引用発明では、画像変換装置１ａ、１ｂ、１ｃ及び１ｄのそれぞれに、例えば、７２０×４８０画素からなる入力画像データが供給され、前記画像変換装置１ａ、１ｂ、１ｃ及び１ｄのそれぞれでは、供給された前記７２０×４８０画素からなる入力画像データを、例えば、３５２×２４０画素からなる画像データに変換していることから、引用発明は本願発明と同様に、「複数のマルチメディア入力の一部しか含まないようにマルチメディア入力をサンプリングするステップ」を含むことは明らかである。
　
（ハ）符号化効率を向上させるために、サンプリングされたマルチメディア入力と組み合わせられる少なくとも一つのダミー入力信号を発生するステップと、サンプリングされたマルチメディア入力と前記少なくとも一つのダミー入力信号を組み合わせるステップと、
　
　引用発明では、画像変換装置１ａ〜１ｄのそれぞれから出力される３５２×２４０画素の画像データが画像合成装置３に供給され、画像合成装置３では、前記画像変換装置１ａ〜１ｄのそれぞれから供給された画像データを合成して、ライン方向の画素数を７２０画素とするため、左側の画像データと右側の画像データとの間に１６×４８０画素の間隙が形成された７２０×４８０画素の画像データとして出力され、エンコーダ５で圧縮符号化される（引用例１に係る上記２．引用例（１）（ｄ）等参照）ことから、引用発明は、サンプリングされたマルチメディア入力の領域と前記サンプリングされたマルチメディア入力以外の１６×４８０画素の領域である間隙を組み合わせて、エンコーダ５で圧縮符号化される画像データを作成することを含むものといえ、そうすると、引用発明と本願発明は、「サンプリングされたマルチメディア入力の領域とサンプリングされたマルチメディア入力以外の領域を組み合わせるステップ」を含む点で共通するといえる。
　しかしながら、本願発明は、「符号化効率を向上させるために、サンプリングされたマルチメディア入力と組み合わせられる少なくとも一つのダミー入力信号を発生するステップ」を含み、上記サンプリングされたマルチメディア入力以外の領域に「少なくとも一つのダミー入力信号」を入力するのに対し、引用発明ではそのようにはしていない点で相違する。
　
（ニ）組み合わせられたマルチメディア入力を符号化するのに必要な符号化器の数が、複数の番組の数よりも少ない、組み合わせられたマルチメディア入力を符号化するステップと、
　
　引用発明では、画像合成装置３の出力画像データを入力セレクタ４を介してエンコーダ５（本願発明でいう「符号化器」）に出力し、エンコーダ５では、供給された前記画像合成装置３の出力画像データに圧縮符号化等の所定の処理がなされ、また、前記（ハ）のとおり、引用発明は、「サンプリングされたマルチメディア入力の領域と前記サンプリングされたマルチメディア入力以外の領域を組み合わせるステップ」を含み、前記画像合成装置３の出力画像データは、組み合わせられたマルチメディア入力といえることから、引用発明は本願発明と同様、「組み合わせられたマルチメディア入力を符号化するのに必要な符号化器の数が、複数のマルチメディア入力の数よりも少ない、組み合わせられたマルチメディア入力を符号化するステップ」を含むといえる。
　もっとも、本願発明では、上記組み合わせられたマルチメディア入力が、サンプリングされたマルチメディア入力の領域と少なくとも一つのダミー入力信号の領域を組み合わせられた入力であり、上記複数のマルチメディア入力の数が、複数の番組の数であるのに対し、引用発明では、そのようにはしていない点で相違する。
　
（ホ）複数の番組を記録媒体に記録する方法。
　
　引用発明は、入力される複数の異なる画像シーケンスをストレージメディア（本願発明でいう「記録媒体」）に記憶（本願発明でいう「記録」）する方法に係るものであり、複数の画像シーケンスは、複数のマルチメディアといえることから、引用発明と、本願発明は、ともに、「複数のマルチメディアを記録媒体に記録する方法」に係るものといえる。
　もっとも、上記複数のマルチメディアが、本願発明では、複数の番組であるのに対し、引用発明では、複数の番組とはしていない点で相違する。
　
　以上の対比結果によれば、本願発明と引用発明との一致点、相違点は次のとおりであると認めることができる。
［一致点］
　両者は、いずれも
「複数のマルチメディア入力を受信するステップと、
　複数のマルチメディア入力の一部しか含まないようにマルチメディア入力をサンプリングするステップと、
　サンプリングされたマルチメディア入力の領域とサンプリングされたマルチメディア入力以外の領域を組み合わせるステップと、
　組み合わせられたマルチメディア入力を符号化するのに必要な符号化器の数が、複数のマルチメディア入力の数よりも少ない、組み合わせられたマルチメディア入力を符号化するステップと、を含む、複数のマルチメディアを記録媒体に記録する方法。」である点で一致する。
　
［相違点］
　相違点１
　複数のマルチメディア入力が、本願発明では、「それぞれが少なくとも一つの異なる番組を含」むのに対し、引用発明では、そのようになっておらず、また、複数のマルチメディア入力の数、記録媒体に記録する複数のマルチメディアが、本願発明では、「複数の番組の数」、「複数の番組」であるのに対し、引用発明では、複数の番組とはしていない点。
　
　相違点２
　本願発明は、「符号化効率を向上させるために、サンプリングされたマルチメディア入力と組み合わせられる少なくとも一つのダミー入力信号を発生するステップ」を含み、上記組み合わせるサンプリングされたマルチメディア入力以外の領域に「少なくとも一つのダミー入力信号」を入力するのに対し、引用発明ではそのようにはなっていない点。
　
４．判断
　そこで上記各相違点について検討する。
　相違点１について
　前記引用例２には、前記記載（ｅ）ないし（ｇ）に示されるとおり、複数の番組を同時に記録するＤＶＤレコーダに関し、テレビチューナ等で構成される入力部１３０３、１３０４からの２つの番組の各ビデオデータを合成部１３０５で合成して同時に記録するＤＶＤレコーダについて開示されており、ここで、同時に記録する複数の番組は異なる番組であることは明らかである。
　一方、引用発明は、上記のとおり、複数のマルチメディア入力を受信して、各種処理を施し、複数のマルチメディアを記録媒体に記録しているところ、上記のとおり、複数のマルチメディア入力を受信して、各種の処理を施し、記録媒体に記録するものにおいて、複数のマルチメディア入力として複数の異なる番組を入力し、複数の異なる番組を同時に記録することが、前記引用例２に開示されていることからすると、このような技術を、複数のマルチメディア入力を受信して、各種処理を施し、複数のマルチメディアを記録媒体に記録するものとして変わりがない引用発明に適用し、その複数のマルチメディア入力をそれぞれが少なくとも一つの異なる番組を含むものとし、また、引用発明での複数のマルチメディア入力の数、記録媒体に記録する複数のマルチメディアを、それぞれ、複数の番組の数、複数の番組とすることは、当業者が容易に想到し得たものである。
　
　相違点２について
　引用発明では、画像変換装置１ａ〜１ｄのそれぞれから出力される３５２×２４０画素の画像データが画像合成装置３に供給され、画像合成装置３では、前記画像変換装置１ａ〜１ｄのそれぞれから供給された画像データを合成し、ライン方向の画素数を７２０画素とするため、左側の画像データと右側の画像データとの間に１６×４８０画素の間隙が形成された７２０×４８０画素の画像データとして出力され、エンコーダ５で圧縮符号化される（引用例１に係る上記２．引用例（１）（ｄ）等参照）ことから、引用発明は、エンコーダ５で圧縮符号化される合成された画像データが所定のサイズの７２０×４８０画素の画像データとなるように、３５２×２４０画素のサンプリングされたマルチメディア入力の領域と前記サンプリングされたマルチメディア入力以外の１６×４８０画素の領域の間隙を組み合わせ、上記３５２×２４０画素のサンプリングされたマルチメディア入力の領域にサンプリングされたマルチメディア入力を入力するものである。
　また、引用例１には、上記のとおり発明が解決しようとする課題として、異なる解像度の複数の画像を効率的に符号化／復号化するためには、各解像度に対応して別々のエンコーダ／デコーダを用いたり、異なる解像度に対応可能なエンコーダ／デコーダを用いる必要がある旨の記載がある（引用例１に係る上記２．引用例（１）（ｂ）等参照）。
　そうすると、引用発明において、所定の解像度（例えば、７２０×４８０画素）に対応したエンコーダを用いて効率的に符号化／復号化するために、換言すれば、符号化効率を向上させるために、エンコーダで圧縮符号化される合成された画像データが所定のサイズの画像データ、すなわち、所定の解像度の画像データとなるように、サンプリングされたマルチメディア入力の領域と前記サンプリングされたマルチメディア入力以外の１６×４８０画素の領域の間隙を組み合わせるようにすることは、当業者が格別の困難性なくなし得たことと認められる。
　
　また、エンコーダ（符号化器）に入力される画像データがエンコーダに対応した所定のサイズの画像データとなるように、入力画像データの領域と入力画像データ以外の領域を組み合わせ、前記入力画像データ以外の領域にダミー入力信号を入力することは、例えば、特開平９−２６１５９０号公報（段落【００１１】ないし【００１６】、図１の記載等参照）、特開平２−６０３８６号公報（第４頁右下欄３ないし１８行、図１、５の記載等参照）等に開示されるように周知である。
　
　そうすると、引用発明における、３５２×２４０画素のサンプリングされたマルチメディア入力の領域と組み合わされる、前記サンプリングされたマルチメディア入力以外の１６×４８０画素の領域の間隙に、少なくとも一つのダミー入力信号を入力することは、当業者が容易に想到し得たことであると認められ、また、前記組み合わせのため、符号化効率を向上させるために前記サンプリングされたマルチメディア入力と組み合わせられる少なくとも一つのダミー入力信号を発生するステップを含ませることも、当業者が容易に想到し得たことであると認められる。
　
　また、本願発明の効果についてみても、上記各構成の採用に伴って当業者が当然に予測し得る程度のものにすぎず、格別顕著なものがあるとはいえない。
　
５．むすび
　以上のとおり、請求項１に係る本願発明は、引用例１、２に載された発明及び周知の事項に基づいて当業者が容易に発明をすることができたものであるから、特許法第２９条第２項の規定により特許を受けることができない。
　したがって、本願は他の請求項に係る発明について特に検討するまでもなく拒絶されるべきものである。
　よって、結論のとおり審決する。